(57)【要約】【課題】非同期状態でアップリンク伝送を行うことにより他ＵＥ（ユーザー端末）のアップリンク伝送を妨害するのを防ぐために、無線通信システムのＵＥにおいて永続的リソースを処理する方法及び通信装置を提供する。【解決手段】方法は、ＵＥに割り当てられた永続的リソースを取得する段階と、ＵＥのタイムアラインメントタイマーの終了時に、永続的リソースを解放する段階とを含む。【選択図】図４
2009296588.tif 000002
【特許請求の範囲】
【請求項１】
無線通信システムのＵＥ（ユーザー端末）において永続的リソースを処理する方法であって、
前記ＵＥに割り当てられた永続的リソースを取得する段階と、
前記ＵＥのタイムアラインメントタイマーの終了時に、前記永続的リソースを解放する段階とを含む、永続的リソースの処理方法。
【請求項２】
前記タイムアラインメントタイマーは、前記ＵＥのタイミングアドバンスが設定か更新されるときに起動又は再起動される、請求項１に記載の永続的リソースの処理方法。
【請求項３】
前記永続的リソースはアップリンク伝送に用いられる、請求項１または２に記載の永続的リソースの処理方法。
【請求項４】
前記永続的リソースはダウンリンク伝送に用いられる、請求項１または２に記載の永続的リソースの処理方法。
【請求項５】
前記ＵＥに割り当てられた永続的リソースを取得する段階は、
ＲＲＣ（無線リソース制御）シグナリングで、前記永続的リソースの周期を設定する段階を含む、請求項１から４の何れか１項に記載の永続的リソースの処理方法。
【請求項６】
前記ＵＥに割り当てられた永続的リソースを取得する段階は、
ＳＰＳ  Ｃ−ＲＮＴＩ（半永続スケジューリングセル無線ネットワーク一時識別子）のＰＤＣＣＨ（物理ダウンリンクチャネル）シグナリングで、前記永続的リソースの使用を起動する、請求項１から５の何れか１項に記載の永続的リソースの処理方法。
【請求項７】
無線通信システムのＵＥにおいて永続的リソースを処理するための通信装置であって、
プログラムを実行するＣＰＵ（中央処理装置）と、
前記ＣＰＵに結合され、前記プログラムを記録する記憶装置とを含み、前記プログラムは、
前記ＵＥに割り当てられた永続的リソースを取得する段階と、
前記ＵＥのタイムアラインメントタイマーの終了時に、前記永続的リソースを解放する段階とを含む、通信装置。
【請求項８】
前記タイムアラインメントタイマーは、前記ＵＥのタイミングアドバンスが設定か更新されるときに起動又は再起動される、請求項７に記載の通信装置。
【請求項９】
前記永続的リソースはアップリンク伝送に用いられる、請求項７または８に記載の通信装置。
【請求項１０】
前記永続的リソースはダウンリンク伝送に用いられる、請求項７または８に記載の通信装置。
【請求項１１】
前記ＵＥに割り当てられた永続的リソースを取得する段階は、
ＲＲＣシグナリングで、前記永続的リソースの周期を設定する段階を含む、請求項７から１０の何れか１項に記載の通信装置。
【請求項１２】
前記ＵＥに割り当てられた永続的リソースを取得する段階は、
ＳＰＳ  Ｃ−ＲＮＴＩのＰＤＣＣＨシグナリングで、前記永続的リソースの使用を起動する、請求項７から１１の何れか１項に記載の通信装置。
【発明の詳細な説明】
【技術分野】
【０００１】
本発明は永続的リソース（ｐｅｒｓｉｓｔｅｎｔ  ｔｒａｎｓｍｉｓｓｉｏｎ  ｒｅｓｏｕｒｃｅ）を処理する方法及び通信装置に関し、特に非同期状態でアップリンク伝送を行うことにより他ＵＥのアップリンク伝送を妨害するのを防ぐために、無線通信システムのＵＥ（ユーザー端末）において永続的リソースを処理する方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）通信プロトコル層とＭＡＣ（媒体アクセス制御）通信プロトコル層は基地局（ノードＢ）とＲＮＣ（無線ネットワークコントローラ）に別々に設けなくてもよく、同一の通信ネットワークエンティティー（例えば基地局（ノードＢ））に統合できるので、システム構造が比較的に簡単である。
【０００３】
ＬＴＥ無線通信システムにおいて、ＵＥから送信された信号と同じ基地局の圏内にある他ＵＥから送信された信号が互いに衝突・干渉するのを防止するために、ＵＥはサービスを提供する基地局とアップリンクタイミングで同期しなければならない。ＵＥのタイムアラインメントタイマーは、ＵＥがアップリンクタイミングにおいて基地局と同期しているかどうかを示すものとして用いられる。タイムアラインメントタイマーが動作中（ｒｕｎｎｉｎｇ）であることは、ＵＥと基地局のアップリンクタイミングが同期していることを示す。それに反して、タイムアラインメントタイマーが終了（ｅｘｐｉｒｅ）することは、ＵＥがアップリンクタイミングにおいて基地局ともはや同期していないことを示す。なお、基地局はタイミングアラインメントコマンドでＵＥのタイミングアドバンスを更新することで、アップリンクのタイミングアラインメントを保持する。タイミングアドバンスが更新されるたびに、ＵＥはタイムアラインメントタイマーを再起動する。タイミングアドバンスの定義について関連仕様書を参考すればよく、ここで説明を省略する。
【０００４】
現行の仕様によれば、タイムアラインメントタイマーが終了か停止した場合では、アップリンクのタイミングアラインメントを保持するために、ＵＥはアップリンク伝送を実行する前にランダムアクセスプロセスでタイミングアラインメント情報を取得しなければならない。換言すれば、ＵＥが同期しなくなった場合にアップリンク伝送を実行すべきではない。
【０００５】
なお、従来の技術ではＭＡＣ層に半永続スケジューリング（ｓｅｍｉ−ｐｅｒｓｉｓｔｅｎｔ  ｓｃｈｅｄｕｌｉｎｇ、ＳＰＳ）機能を導入している。ＳＰＳは上位層アプリケーション（例えばＶｏＩＰ（ボイス・オーバー・インターネットプロトコル））に永続的リソースを提供し、ＵＥにおいて共用チャネル（ｓｈａｒｅｄ  ｃｈａｎｎｅｌ）リソースをより効率よく利用することを可能にする。現行の仕様によれば、基地局から永続的リソースをＵＥに割り当てようとするとき、まずＲＲＣ（無線リソース制御）シグナリングで永続的リソースの周期（ｐｅｒｉｏｄｉｃｉｔｙ）を設定する。次に、ＵＥに指定されたＳＰＳ  Ｃ−ＲＮＴＩ（ＳＰＳセル無線ネットワーク一時識別子）のＰＤＣＣＨ（物理ダウンリンク制御チャネル）シグナリングで、割り当てられた永続的リソースを起動か修正する。
【０００６】
一般に、永続的リソースの解放メカニズムは明示的または暗示的な方式で行われる。例えば、基地局はＰＤＣＣＨシグナリングで、起動された永続的リソースを解放するようにＵＥに明示的に指示する。しかし、タイムアラインメントタイマーが終了した場合、従来の技術では永続的リソースの処理方法について規定していないので、ＵＥが非同期状態でアップリンク伝送を行うことにより、他ＵＥのアップリンク伝送が妨害されることがありうる。
【発明の概要】
【発明が解決しようとする課題】
【０００７】
本発明の主な目的は、非同期状態でアップリンク伝送を行うことにより他ＵＥ（ユーザー端末）のアップリンク伝送を妨害するのを防ぐために、無線通信システムのＵＥにおいて永続的リソースを処理する方法及び通信装置を提供することにある。
【課題を解決するための手段】
【０００８】
本発明では、無線通信システムのＵＥ（ユーザー端末）において永続的リソースを処理する方法を提供する。同方法は、ＵＥに割り当てられた永続的リソースを取得する段階と、ＵＥのタイムアラインメントタイマーの終了時に、永続的リソースを解放する段階とを含む。
【０００９】
本発明では、無線通信システムのＵＥにおいて永続的リソースを処理するための通信装置を提供する。同通信装置は、プログラムを実行するＣＰＵ（中央処理装置）と、ＣＰＵに結合され、プログラムを記録する記憶装置とを含む。プログラムは、ＵＥに割り当てられた永続的リソースを取得する段階と、ＵＥのタイムアラインメントタイマーの終了時に、前記永続的リソースを解放する段階とを含む。
【図面の簡単な説明】
【００１０】
【図１】無線通信システムを表す説明図である。
【図２】無線通信システムの無線通信装置のブロック図である。
【図３】図２に示すプログラムを表す説明図である。
【図４】本発明による方法のフローチャートである。
【発明を実施するための形態】
【００１１】
かかる方法及び装置の特徴を詳述するために、具体的な実施例を挙げ、図を参照にして以下に説明する。
【００１２】
図１を参照する。図１は無線通信システム１０を表す説明図である。無線通信システム１０は望ましくはＬＴＥシステムであり、概してネットワークと複数のＵＥ（ユーザー端末）を含む。図１に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１３】
図２を参照する。図２は無線通信システムの無線通信装置１００のブロック図である。無線通信装置１００は図１に示すＵＥを実施する。説明を簡素化するために、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８で記憶装置１１０に記録されたプログラム１１２を実行し、無線通信装置１００の動作を制御する。無線通信装置１００は入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１４】
図３を参照する。図３は図２に示すプログラム１１２を表す説明図である。プログラム１１２はアプリケーション層２００と、第三層インターフェイス２０２と、第二層インターフェイス２０６とを含み、第一層インターフェイス２１８に接続されている。第三層インターフェイス２０２はＲＲＣ（無線リソース制御）を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００１５】
ＬＴＥ無線通信システムでは、ＭＡＣ層はタイムアラインメントタイマーでＵＥと基地局のアップリンクタイミング同期状態を示す。タイムアラインメントタイマーが動作中であることは、ＵＥと基地局のアップリンクタイミングが同期していることを示す。それに反して、タイムアラインメントタイマーが終了することは、ＵＥがアップリンクタイミングにおいて基地局ともはや同期していないことを示す。なお、ＭＡＣ層には、上位層アプリケーション（例えばＶｏＩＰ）に永続的リソースを提供し、ＵＥにおいて共用チャネルリソースをより効率よく利用することを可能にするＳＰＳ機能が導入されている。
【００１６】
それに鑑みて、本発明の実施例では、タイムアラインメントタイマーの終了時にＵＥの永続的リソースを処理し、ＵＥが非同期状態でアップリンク伝送を行って他ＵＥのアップリンク伝送を妨害することを防ぐために、アップリンク伝送改善プログラム２２０を提供する。図４を参照する。図４は本発明による方法４０のフローチャートである。下記方法４０は無線通信システムのＵＥにおいて永続的リソースを処理するために用いられ、永続的リソース処理プログラム２２０としてコンパイルすることができる。
【００１７】
ステップ４００：開始。
ステップ４１０：ＵＥに割り当てられた永続的リソースを取得する。
ステップ４２０：ＵＥのタイムアラインメントタイマーの終了時に前記永続的リソースを解放する。
ステップ４３０：終了。
【００１８】
以上のように、ＵＥが永続的リソースを取得した後、そのアップリンクタイミングが基地局と同期しなくなった場合、すなわちＵＥのタイムアラインメントタイマーが終了した場合では、本発明の実施例によれば基地局から割り当てられた永続的リソースを解放する。したがって、本発明の実施例は、ＵＥが非同期状態でアップリンク伝送を行って他ＵＥのアップリンク伝送を妨害するのを防ぐことができる。
【００１９】
望ましくは、前記ステップ４１０において、ＵＥはＲＲＣシグナリングで永続的リソースの周期を設定し、ＵＥに指定されたＳＰＳ  Ｃ−ＲＮＴＩのＰＤＣＣＨシグナリングで永続的リソースを起動か修正する。関連動作について先行技術の説明を参照すればよく、ここで説明を省略する。
【００２０】
注意すべきは、本発明の実施例では、前記永続的リソースはアップリンク伝送リソースまたはダウンリンク伝送リソースに限らない。前記永続的リソースをアップリンク伝送に用いれば、永続的リソースの解放は、ＵＥが非同期状態で永続的リソースを引き続き利用してアップリンクデータ伝送を行うのを防ぐことができる。それに反して、前記永続的リソースをダウンリンク伝送に用いれば、永続的リソースの解放は、ＵＥが非同期状態でＰＵＣＣＨ（物理アップリンク制御チャネル）を通してダウンリンクデータに対応する肯定応答（ＡＣＫ）または否定応答（ＮＡＣＫ）制御情報を返送することにより、他ＵＥのアップリンク伝送か制御情報の返送を妨害するのを防ぐことができる。
【００２１】
まとめて言えば、本発明の実施例ではタイムアラインメントタイマーの終了時に、基地局から割り当てられた永続的リソースを解放し、ＵＥが非同期状態でアップリンク伝送か制御情報の返送を行うのを防ぐ。したがって、本発明の実施例は、ＵＥから送信された信号により、同じ基地局の圏内にある他ＵＥのアップリンク伝送または制御情報の返送が妨害されるのを防ぐことができる。
【００２２】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００２３】
１０  無線通信システム
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  永続的リソース処理プログラム
【図１】
2009296588.tif 000003
【図２】
2009296588.tif 000004
【図３】
2009296588.tif 000005
【図４】
2009296588.tif 000006